(57)【要約】【課題】靴収納具自体を棚板上に載置した状態のまま靴の出し入れをすることができる使い勝手の良い構造でありながら、下駄箱等における靴の収納量を増やすことができるとともに、簡素な構成によりコストを低減することができる靴収納具を提供する。【解決手段】靴収納具１を、下駄箱又はシューズラック等の棚板上に載置される下板部材２と、下板部材２の後端部２Ｂに立設された支持部材３（左右の支柱３Ｌ，３Ｒ）と、支持部材３により後端部４Ｂが支持され、前方へ行くにしたがって上方へ傾斜した状態が保持された、下板部材２の上側に位置する上板部材４とにより構成し、下板部材２に靴を後向きの状態で載置し、上板部材４に靴を前向きの状態で載置する。【選択図】図１
0003155850.tif 000002
【実用新案登録請求の範囲】
【請求項１】
下駄箱又はシューズラック等の棚板上に載置される下板部材と、
該下板部材の後端部に立設された支持部材と、
該支持部材により後端部が支持され、前方へ行くにしたがって上方へ傾斜した状態が保持された、前記下板部材の上側に位置する上板部材とからなり、
前記下板部材に靴を後向きの状態で載置し、前記上板部材に靴を前向きの状態で載置することを特徴とする靴収納具。
【請求項２】
前記上板部材の後端部に上方へ延出した当止片を形成してなる請求項１記載の靴収納具。
【請求項３】
前記上板部材に靴を載置又は前記上板部材から靴を取り出す際に、前記上板部材の前端部を押し下げて弾性変形させることができるように前記上板部材を形成してなる請求項１記載の靴収納具。
【請求項４】
前記支持部材に形成された前方へ行くにしたがって上方へ傾斜した上下複数の平行傾斜溝に前記上板部材の後端部を抜き差しすることにより前記上板部材を脱着可能に構成してなる請求項１記載の靴収納具。
【考案の詳細な説明】
【技術分野】
【０００１】
本考案は、下駄箱等における靴の収納量を増やすために棚板上に載置して使用される靴収納具に関するものである。
【背景技術】
【０００２】
下駄箱（シューズボックス）又はシューズラック等の棚板上に載置して使用され、上下２段に靴を収納するようにして靴の収納量を増やすことができる靴収納具として、前端が低く、後端が高く形成された左右の支脚の間に、前端側が下方へ傾斜するように靴受け板を設け、靴受け板の下側に靴を前向きに収納し、靴受け板上に靴を後向きに載置するようにしたもの（例えば、特許文献１参照。）、一対の靴を片方ずつ載置して上下に離して配置されるトレイを有し、下段トレイの後端側に立設された支持柱の上部に、上段トレイがその後端側で回動可能に連結され、かつ上段トレイの前端側が下方へ傾斜した状態で保持されるようにしたもの（例えば、特許文献２参照。）等がある。
【先行技術文献】
【特許文献】
【０００３】
【特許文献１】実公平４−４５５７７号公報
【特許文献２】特開２００８−１８０３６号公報
【考案の概要】
【考案が解決しようとする課題】
【０００４】
特許文献１のような靴収納具は、靴受け板の下側の靴が見えにくいため収納した靴を見分けにくいこと、及び、靴受け板の下側の靴を出し入れする際に靴収納具自体も出し入れする必要があることから靴の出し入れに手間がかかるため使い勝手が悪いこと等の問題がある。
これに対して特許文献２のような靴収納具は、上記問題を解決することができるものであるが、上段トレイの後端側が上方に傾斜した状態（上段トレイの前端側が下方へ傾斜した状態）で保持しながら、上段トレイの後端部を下段トレイの後端部に立設した支持柱の上部に左右方向軸まわりに回動可能に連結していることから、構造上支持柱の高さが高くなるため、この支持柱の高さにより規制されて上側の棚板又は天板との間隔が比較的狭い棚板上には用いることができないという問題がある。
その上、上段トレイの後端部と支持柱の上部とを回動可能に連結する構造上、靴の高さに応じた上段トレイの高さ調節をすることができないため、下駄箱等における靴の収納量をさらに増やすことができないとともに、構成が比較的複雑になるためコストが嵩むという問題がある。
【０００５】
そこで本考案が前述の状況に鑑み、解決しようとするところは、靴収納具自体を棚板上に載置した状態のまま靴の出し入れをすることができる使い勝手の良い構造でありながら、下駄箱等における靴の収納量を増やすことができるとともに、簡素な構成によりコストを低減することができる靴収納具を提供する点にある。
【課題を解決するための手段】
【０００６】
本考案に係る靴収納具は、前記課題解決のために、下駄箱又はシューズラック等の棚板上に載置される下板部材と、該下板部材の後端部に立設された支持部材と、該支持部材により後端部が支持され、前方へ行くにしたがって上方へ傾斜した状態が保持された、前記下板部材の上側に位置する上板部材とからなり、前記下板部材に靴を後向きの状態で載置し、前記上板部材に靴を前向きの状態で載置するものである。
このような構成によれば、棚板上に載置した状態で、上板部材を支持する支持部材が後側（奥側）にあるとともに、この支持部材により上板部材が前方へ行くにしたがって上方へ傾斜した状態で保持されることから、収納した状態の靴が前側（手前側）から見やすいため、収納した靴を見分けやすい。
【０００７】
その上、上板部材が前方へ行くにしたがって上方へ傾斜した状態であり、その下側の靴を出し入れする際に上板部材が邪魔になることがなく、上板部材上の靴も、その高さや上板部材上の空間の大きさによっては、自由に出し入れをすることができることから、靴収納具自体を棚板上に載置した状態のまま靴の出し入れをすることができるため、靴の出し入れに手間がかからず使い勝手が良い。
その上さらに、前方へ行くにしたがって上方へ傾斜した状態（後方へ行くにしたがって下方へ傾斜した状態）の上板部材の後端部を支持部材により支持する構成であることから、構造上支持部材の高さを低く抑えることができる。
よって、上側の棚板又は天板との間隔が比較的狭い棚板上にも用いることができるため、下駄箱等における靴の収納量を増やすことができる。
その上、上板部材と支持部材とを回動可能に連結する構造ではないため、簡素な構成によりコストを低減することができる。
【０００８】
ここで、前記上板部材の後端部に上方へ延出した当止片を形成してなると好ましい。
このような構成によれば、上板部材に載置した靴のずれ落ちを防止することができる。
【０００９】
また、前記上板部材に靴を載置又は前記上板部材から靴を取り出す際に、前記上板部材の前端部を押し下げて弾性変形させることができるように前記上板部材を形成してなると好ましい。
このような構成によれば、上板部材の前端部と上側の棚板又は天板との間隔が靴の高さより小さい場合であっても、上板部材の前端部を押し下げて弾性変形させることにより、上板部材に靴を載置又は上板部材から靴を取り出すことができるため、前記間隔が靴の高さより小さい、上側の棚板又は天板との間隔がより狭い棚板上に靴収納具自体を載置した状態のまま靴の出し入れをすることができる。
よって、靴収納具自体を棚板上に載置した状態のまま靴を出し入れすることができるという使い勝手の良さを保ちながら、上側の棚板又は天板との間隔がより狭い棚板上にも用いることができるため、下駄箱等における靴の収納量をさらに増やすことができる。
【００１０】
さらに、前記支持部材に形成された前方へ行くにしたがって上方へ傾斜した上下複数の平行傾斜溝に前記上板部材の後端部を抜き差しすることにより前記上板部材を脱着可能に構成してなると好ましい。
このような構成によれば、上下複数の平行傾斜溝を用いて上板部材を支持部材に取り付けることができることから、平行傾斜溝を選択することにより上板部材の高さを変更することができるため、簡素な構成により下板部材上に載置する靴の高さに対応して上板部材の高さを調節することができる。
よって、上側の棚板又は天板との間隔がさらに狭い棚板上に靴収納具自体を載置した状態のまま靴の出し入れをすることができるため、下駄箱等における靴の収納量をさらに増やすことができる。
その上、平行傾斜溝から上板部材を抜いて取り外せば、容易に分解することができるとともに、上述のとおり構造上支持部材の高さが低いことから、特に上板部材を取り外した状態では嵩張らないため、輸送若しくは運搬又は保管する際の効率を高めることができる。
【考案の効果】
【００１１】
以上のように、本考案に係る靴収納具によれば、収納した状態の靴を見分けやすく、靴収納具自体を棚板上に載置した状態のまま靴の出し入れをすることができ、上側の棚板又は天板との間隔が狭い棚板上であっても使用することができ、下駄箱等における靴の収納量を増やすことができるとともに、簡素な構成によりコストを低減することができるという顕著な効果を奏する。
【図面の簡単な説明】
【００１２】
【図１】本考案の実施の形態に係る靴収納具の斜視図である。
【図２】同じく右から見た図である。
【図３】同じく右から見た縦断面図である。
【図４】同じく分解斜視図である。
【図５】支持部材と上板部材との着脱構造の要部を拡大して示す横断平面図であり、（ａ）は支持部材から上板部材を取り外した状態を、（ｂ）は支持部材に上板部材を取り付けた状態を示している。
【図６】本考案の実施の形態に係る靴収納具を下駄箱の棚板上に載置した使用状態を示す右から見た縦断面図である。
【考案を実施するための形態】
【００１３】
次に本考案の実施の形態を添付図面に基づき詳細に説明するが、本考案は、添付図面に示された形態に限定されず実用新案登録請求の範囲に記載の要件を満たす実施形態の全てを含むものである。
なお、本明細書においては、下駄箱又はシューズラック等の棚板上に靴収納具を載置した状態で、手前側を前、奥側を後とする。
【００１４】
図１〜図３に示すように、本考案の実施の形態に係る靴収納具１は、下駄箱又はシューズラック等の棚板上に載置される下板部材２、下板部材２の後端部２Ｂに立設された支持部材３である左右の支柱３Ｌ，３Ｒ、及び、左右の支柱３Ｌ，３Ｒにより後端部４Ｂの左右が支持され、前方へ行くにしたがって上方へ傾斜した状態が保持された、下板部材２の上側に位置する上板部材４からなり、図６に示すように、下板部材２に一足の靴Ｓの一方（例えば左靴ＳＬ）を後向きの状態で載置し、上板部材４に一足の靴Ｓの他方（例えば右靴ＳＲ）を前向きの状態で載置するものである。
【００１５】
ここで、靴収納具１は、例えばポリプロピレン、ポリアセタール、ポリエチレンテレフタレート、ナイロン又はＡＢＳ等の合成樹脂の射出成形により製造されるが、下板部材２及び左右の支柱３Ｌ，３Ｒは、例えばアルミニウム又はマグネシウム等の軽合金のダイカストにより製造してもよい。
【００１６】
図１及び図３に示すように、下板部材２の後端部２Ｂには、靴底の前部の形状に近い略Ｕ字状の当止段部２Ｓが形成されているため、下板部材２に後向きで載置する靴の位置決めをすることができる。
また、前方へ行くにしたがって上方へ傾斜（後方へ行くにしたがって下方へ傾斜）している上板４の後端部４Ｂ、例えば後端縁には、上方へ延出（突出）した当止片４Ｓが形成されているため、上板部材４に載置した靴の後方へのずれ落ちを防止することができる。
【００１７】
図４及び図５に示すように、下板部材２と一体化された、下板部材２の後端部２Ｂ左右の支柱３Ｌ，３Ｒには、前方へ行くにしたがって上方へ傾斜した上下３個の平行傾斜溝５，５，５が形成されており、これらの平行傾斜溝５，５，５の一つ（左右一対）を選択して上板部材４の後端部４Ｂを抜き差しすることにより、上板部材４を脱着することができるとともに、上板部材４の高さを容易に変更することができる。
【００１８】
すなわち、上板部材４の後端部４Ｂ左右の側端縁４Ｌ，４Ｒが前記平行傾斜溝５である左右の支柱３Ｌ，３Ｒの内側に形成された左右一対の内溝６，６に係合し、側端縁４Ｌ，４Ｒの外側から後方へ突出する左右の押え片８，８が前記平行傾斜溝５である支柱３Ｌ，３Ｒの外側に形成された左右一対の外溝７，７に係合する。
そして、左右の支柱３Ｌ，３Ｒ前端の内溝６及び外溝７との間の壁である係合凸部１０，１０に、上板部材４の左右の側端縁４Ｌ，４Ｒと左右の押え片８，８との間の係合凹部９，９が係合した状態で、左右の支柱３Ｌ，３Ｒに上板部材４が取り付けられることから、左右の支柱３Ｌ，３Ｒの左右方向への移動が規制されるため、この取付状態は安定かつ確実に保持される。
また、この取付状態において、左右の支柱３Ｌ，３Ｒから上板部材４を前方へ引き抜くことにより、上板部材４を取り外すことができる。
【００１９】
次に、本考案の実施の形態に係る靴収納具１の使用方法について説明する。
図６は、下駄箱ＳＢの棚板Ｐ１，Ｐ２，Ｐ３上に靴収納具１，…を載置して使用する場合の一例を示しており、上述のとおり、靴収納具１の下板部材２に靴Ｓの一方（例えば左靴ＳＬ）を後向きの状態で載置し、上板部材４に靴Ｓの他方（例えば右靴ＳＲ）を前向きの状態で載置するものである。
なお、靴収納具１の下板部材２に右靴ＳＲを載置して上板部材４に左靴ＳＬを載置してもよい。
【００２０】
図６において、棚板Ｐ１と棚板Ｐ２の間には、高さの低い靴Ｓを収納しており、棚板Ｐ２と棚板Ｐ３の間及び棚板Ｐ３と天板Ｃの間には、それぞれ高さの高い靴Ｓを収納しており、このような靴Ｓの高さに合わせて、上述のとおり靴収納具１は上板部材４の高さを容易に変更することができるため、棚板Ｐ１上の靴収納具１では上板部材４の高さを最も低くして、棚板Ｐ２及びＰ３上の靴収納具１，１では上板部材４の高さを最も高くして使用している。
【００２１】
上板部材４は上述のとおり合成樹脂製であり、棚板Ｐ２上の靴収納具１のように、前端部４Ａを押し下げて弾性変形させることができるように形成されているため、靴Ｓを取り出す際には、先ず矢印Ａ１のように下側の左靴ＳＬを取り出した後に、前端部４Ａを指で押し下げて上板部材４を弾性変形させた状態とすることにより、上側の右靴ＳＲを、靴収納具１を棚板Ｐ２上に載置した状態のままで、矢印Ａ２のように取り出すことができる。
靴Ｓを収納する際には、前端部４Ａを押し下げて上板部材４を弾性変形させた状態として、先ず矢印Ｂ１のように上側の右靴ＳＲを上板部材４に載置した後に、前端部４Ａから指を離して上板部材４を前方へ行くにしたがって上方へ傾斜した状態に戻すことにより、上板部材４の下側の空間が広がるため、下側の左靴ＳＬを矢印Ｂ２のように下板部材２に載置することができる。
【００２２】
以上のような靴収納具１の構成によれば、棚板（例えばＰ１，Ｐ２，Ｐ３）上に靴収納具１を載置した状態で、上板部材４を支持する支持部材３が後側（奥側）にあるとともに、この支持部材３により上板部材４が前方へ行くにしたがって上方へ傾斜した状態で保持されることから、収納した状態の靴Ｓが前側（手前側）から見やすいため、収納した靴Ｓを見分けやすい。
また、前方へ行くにしたがって上方へ傾斜した状態（後方へ行くにしたがって下方へ傾斜した状態）の上板部材４の後端部４Ｂを支持部材３により支持する構成であることから、構造上支持部材３の高さを低く抑えることができる。
よって、上側の棚板又は天板との間隔が比較的狭い棚板上にも用いることができるため、下駄箱ＳＢ又はシューズラック等における靴Ｓ，Ｓ，…の収納量を増やすことができる。
【００２３】
さらに、上板部材４が前方へ行くにしたがって上方へ傾斜した状態であり、その下側の靴Ｓを出し入れする際に上板部材４が邪魔になることがなく、上板部材４の前端部４Ａと上側の棚板又は天板との間隔が靴Ｓの高さより小さい場合であっても、上板部材４の前端部４Ａを押し下げて弾性変形させることにより、上板部材４に靴Ｓの一方（右靴ＳＲ又は左靴ＳＬ）を載置又は上板部材４から靴Ｓの一方（右靴ＳＲ又は左靴ＳＬ）を取り出すことができる。
よって、上板部材４の前端部４Ａと上側の棚板又は天板との間隔が靴Ｓの高さより小さい、上側の棚板又は天板との間隔がより狭い棚板上に靴収納具１自体を載置した状態のまま靴Ｓの出し入れをすることができるため、使い勝手の良さを保ちながら、下駄箱ＳＢ又はシューズラック等における靴Ｓ，Ｓ，…の収納量をさらに増やすことができる。
【００２４】
さらにまた、上下３個の平行傾斜溝５，５，５を用いて上板部材４を支持部材３に取り付けることができることから、平行傾斜溝５，５，５を選択することにより上板部材４の高さを変更することができるため、簡素な構成により下板部材２上に載置する右靴ＳＲ又は左靴ＳＬの高さに対応して上板部材４の高さを調節することができる。
例えば、上段の平行傾斜溝５を用いて上板部材４を支持部材３に取り付けた状態では、踵の高いハイヒール、パンプス又は紳士靴等を、中段の平行傾斜溝５を用いて上板部材４を支持部材３に取り付けた状態では、サンダル、紳士靴又はウォーキングシューズ等を、下段の平行傾斜溝５を用いて上板部材４を支持部材３に取り付けた状態では、踵の低いミュール、スニーカー又は子供靴等をこれらの靴Ｓの高さに合わせて収納することができる。
【００２５】
よって、上側の棚板又は天板との間隔がより狭い棚板上に靴収納具１自体を載置した状態のまま靴Ｓの出し入れをすることができるため、下駄箱ＳＢ又はシューズラック等の靴Ｓ，Ｓ，…の収納量をさらに増やすことができる。
また、平行傾斜溝５から上板部材４を抜いて取り外せば、容易に分解することができるとともに、上述のとおり構造上支持部材３の高さが低いことから、特に上板部材４を取り外した状態では嵩張らないため、輸送若しくは運搬又は保管する際の効率を高めることができる。
さらに、上板部材４と支持部材３とを回動可能に連結する構造ではないため、簡素な構成によりコストを低減することができる。
【００２６】
以上の説明においては、靴収納具１の下板部材２に一足の靴Ｓの一方（例えば左靴ＳＬ又は右靴ＳＲ）を載置し、上板部材４上に一足の靴の他方（例えば右靴ＳＲ又は左靴ＳＬ）を載置する構成を示したが、下板部材２及び上板部材４の左右方向の幅（長さ）を大きくして、下板部材２及び上板部材４にそれぞれ一足の靴の両方を載置するようにしてもよい。
また、以上の説明においては、支持部材３である左右の支柱３Ｌ，３Ｒに、前方へ行くにしたがって上方へ傾斜した上下３個の平行傾斜溝５，５，５を形成する構成を示したが、靴収納具１の使用箇所や対応する靴の種類に応じて、前記平行傾斜溝５を２個又は４個以上としてもよい。
さらに、以上の説明においては、平行傾斜溝５，５，５の一つ（左右一対）を選択して上板部材４の後端部４Ｂを抜き差しすることにより、上板部材４を脱着して高さを変更することができる構成を示したが、本考案はこのような構成に限定されるものではなく、上板部材４の高の変更ができない構成も含むものであり、上板部材４の高さ変更をしない構成では靴収納具１（下板部材２、支持部材３及び上板部材３）を一体成形してもよい。
【符号の説明】
【００２７】
ＳＢ  下駄箱
Ｃ  天板
Ｐ１，Ｐ２，Ｐ３  棚板
Ｓ  靴
ＳＬ  左靴
ＳＲ  右靴
１  靴収納具
２  下板部材
２Ｂ  後端部
２Ｓ  当止段部
３  支持部材
３Ｌ，３Ｒ  支柱
４  上板部材
４Ａ  前端部
４Ｂ  後端部
４Ｓ  当止片
４Ｌ，４Ｒ  側端縁
５  平行傾斜溝
６  内溝
７  外溝
８  押え片
９  係合凹部
１０  係合凸部
【図１】
0003155850.tif 000003
【図２】
0003155850.tif 000004
【図３】
0003155850.tif 000005
【図４】
0003155850.tif 000006
【図５】
0003155850.tif 000007
【図６】
0003155850.tif 000008